(57)【要約】【課題】ボタンを水中で操作可能な電子機器を提供する。【解決手段】電子機器は、互いに逆の側を向く第１面４１および第２面４２を有する基礎部としての基板本体８ａと、第１面４１に配置されたドームスイッチ３と、ドームスイッチ３を覆う部分を含むように配置された防水シート３２と、防水シート３２の少なくとも一部に配置された粘着層３３とを備える。防水シート３２は、ドームスイッチ３を含む水密状の空間６が形成されるように、粘着層３３によって基礎部または他の部材に貼り付けられている。【選択図】図１１
2017117593.tif 000002
【特許請求の範囲】
【請求項１】
互いに逆の側を向く第１面および第２面を有する基礎部と、
前記第１面に配置されたドームスイッチと、
前記ドームスイッチを覆う部分を含むように配置された防水シートと、
前記防水シートの少なくとも一部に配置された粘着層とを備え、
前記防水シートは、前記ドームスイッチを含む水密状の空間が形成されるように、前記粘着層によって前記基礎部または他の部材に貼り付けられている、電子機器。
【請求項２】
前記防水シートは前記第２面に折返しており、前記粘着層によって前記第２面に貼着されている、請求項１に記載の電子機器。
【請求項３】
前記他の部材は、前記第２面に沿うように配置され、前記第１面の側から見たときに前記基礎部より外側に張り出している第１シートであり、前記防水シートは、前記第１シートに対して前記粘着層によって貼着されている、請求項１に記載の電子機器。
【請求項４】
前記防水シートは、前記粘着層によって前記第１面に貼着されている、請求項１に記載の電子機器。
【請求項５】
前記他の部材は筐体部品であり、前記基礎部は前記筐体部品に沿って配置されている、請求項１に記載の電子機器。
【請求項６】
互いに逆の側を向く第１面および第２面を有する基礎部と、
前記第１面に配置されたドームスイッチと、
前記ドームスイッチを覆う部分を含むように配置された防水シートと、
前記基礎部から延在するフレキシブル部とを備え、
前記防水シートは、前記第１面を覆う第１部分と前記第２面を覆う第２部分とを含んで前記基礎部を包み込むように一体的に形成されたものであり、前記第１部分と前記第２部分との間で曲げられており、前記第１部分と前記第２部分とが互いに出会う部分は、前記ドームスイッチを含む水密状の空間が形成されるように、接合されている、電子機器。
【請求項７】
前記第１部分と前記第２部分とが互いに出会う部分の少なくとも一部は、前記第１部分と前記第２部分とが接合された熱溶着部となっている、請求項６に記載の電子機器。
【請求項８】
前記第１部分と前記第２部分とが互いに出会う部分の少なくとも一部は、前記第１部分と前記第２部分とを重ねて両側から防水粘着シートで挟み込まれており、
前記第１部分の端が前記フレキシブル部に接する箇所では、前記防水粘着シートが前記第１部分の端と前記フレキシブル部との接触箇所を封止しており、
前記第２部分の端が前記フレキシブル部に接する箇所では、前記防水粘着シートが前記第２部分の端と前記フレキシブル部との接触箇所を封止している、請求項６または７に記載の電子機器。
【発明の詳細な説明】
【技術分野】
【０００１】
本開示は、電子機器に関するものである。
【背景技術】
【０００２】
電子機器が、スイッチとしてドームスイッチを備える場合がある。ドームスイッチの一例が、特開平１０−２３３１４１号公報（特許文献１）に記載されている。
【先行技術文献】
【特許文献】
【０００３】
【特許文献１】特開平１０−２３３１４１号公報
【発明の概要】
【発明が解決しようとする課題】
【０００４】
ドームスイッチは内部に空間を有しており、押下される度に内部の空気が外部に押し出され、押下を終えたときには空気が内部に吸い込まれる。ドームスイッチの周囲に水が存在する場合には水も一緒に内部に吸い込まれるおそれがある。
【０００５】
電子機器に防水性が求められるだけでなく、電子機器のボタンが水中でも操作可能であることが求められる場合がある。電子機器に備わるドームスイッチを水中でも操作可能とするためには、ドームスイッチについても何らかの防水構造が必要となる。
【０００６】
そこで、本開示は、ボタンを水中で操作可能な電子機器を提供することを目的とする。
【課題を解決するための手段】
【０００７】
上記目的を達成するため、本開示に基づく電子機器は、互いに逆の側を向く第１面および第２面を有する基礎部と、上記第１面に配置されたドームスイッチと、上記ドームスイッチを覆う部分を含むように配置された防水シートと、上記防水シートの少なくとも一部に配置された粘着層とを備え、上記防水シートは、上記ドームスイッチを含む水密状の空間が形成されるように、上記粘着層によって上記基板または他の部材に貼り付けられている。
【発明の効果】
【０００８】
本開示によれば、ドームスイッチ周辺は水がない空間となっており、ドームスイッチ内に水が浸入するおそれがないので、ボタンを水中で操作可能な電子機器とすることができる。
【図面の簡単な説明】
【０００９】
【図１】本開示に基づく実施の形態１における電子機器の斜視図である。
【図２】本開示に基づく実施の形態１における電子機器のボタン部近傍の部分断面図である。
【図３】本開示に基づく実施の形態１における電子機器に備わる基板の斜視図である。
【図４】本開示に基づく実施の形態１における電子機器に備わる基板の部分拡大図である。
【図５】図４におけるＶ−Ｖ線に関する矢視断面図である。
【図６】本開示に基づく実施の形態１における電子機器に含まれる粘着層付き防水シートの第１の平面図である。
【図７】本開示に基づく実施の形態１における電子機器に含まれる粘着層付き防水シートの第２の平面図である。
【図８】図７におけるＶＩＩＩ−ＶＩＩＩ線に関する矢視断面図である。
【図９】本開示に基づく実施の形態１における電子機器に備わる基板に粘着層付き防水シートを取り付ける様子の説明図である。
【図１０】本開示に基づく実施の形態１における電子機器に備わる基板に粘着層付き防水シートを取り付けた状態の斜視図である。
【図１１】図１０におけるＸＩ−ＸＩ線に関する矢視断面図である。
【図１２】本開示に基づく実施の形態２における電子機器に備わる基板の斜視図である。
【図１３】本開示に基づく実施の形態２における電子機器に含まれる粘着層付き防水シートの第１の平面図である。
【図１４】本開示に基づく実施の形態２における電子機器に含まれる粘着層付き防水シートの第２の平面図である。
【図１５】図１４におけるＸＶ−ＸＶ線に関する矢視断面図である。
【図１６】本開示に基づく実施の形態２における電子機器に備わる基板に粘着層付き防水シートを取り付ける様子の説明図である。
【図１７】本開示に基づく実施の形態２における電子機器に備わる基板に粘着層付き防水シートを取り付けた状態の斜視図である。
【図１８】本開示に基づく実施の形態３における電子機器に含まれる粘着層付き防水シートの第１の平面図である。
【図１９】本開示に基づく実施の形態３における電子機器に含まれる粘着層付き防水シートの第２の平面図である。
【図２０】本開示に基づく実施の形態３における電子機器に備わる基板に粘着層付き防水シートを取り付ける様子の説明図である。
【図２１】本開示に基づく実施の形態３における電子機器に備わる基板に粘着層付き防水シートを取り付けた状態の斜視図である。
【図２２】図２１におけるＸＸＩＩ−ＸＸＩＩ線に関する矢視断面図である。
【図２３】本開示に基づく実施の形態４における電子機器に備わる基板に粘着層付き防水シートを取り付ける様子の説明図である。
【図２４】本開示に基づく実施の形態４における電子機器に備わる基板に粘着層付き防水シートを取り付けた状態の斜視図である。
【図２５】図２４におけるＸＸＶ−ＸＸＶ線に関する矢視断面図である。
【図２６】本開示に基づく実施の形態５における電子機器に含まれる防水シートの平面図である。
【図２７】本開示に基づく実施の形態５における電子機器に備わる基板に防水シートを取り付ける様子の第１の説明図である。
【図２８】本開示に基づく実施の形態５における電子機器に備わる基板に防水シートを取り付ける様子の第２の説明図である。
【図２９】本開示に基づく実施の形態５における電子機器に備わる基板に防水シートを取り付ける様子の第３の説明図である。
【図３０】本開示に基づく実施の形態５における電子機器に備わる基板に防水シートを取り付けた状態の斜視図である。
【図３１】図３０におけるＸＸＸＩ−ＸＸＸＩ線に関する矢視断面図に対応する分解図である。
【図３２】図３０におけるＸＸＸＩＩ−ＸＸＸＩＩ線に関する矢視断面図である。
【図３３】基板に取り付けた後の防水シートの形状の模式図である。
【図３４】本開示に基づく実施の形態５における電子機器に含まれる防水シートの変形例の平面図である。
【図３５】本開示に基づく実施の形態６における電子機器に含まれる筐体部品の部分斜視図である。
【図３６】本開示に基づく実施の形態６における電子機器に含まれる粘着層付き防水シートの第１の平面図である。
【図３７】本開示に基づく実施の形態６における電子機器に含まれる粘着層付き防水シートの第２の平面図である。
【図３８】本開示に基づく実施の形態６における電子機器に含まれる筐体部品に粘着層付き防水シートを取り付けた状態の斜視図である。
【図３９】図３８に示した構造物を基板本体に垂直な方向から見た部分拡大図である。
【図４０】図３９におけるＸＬ−ＸＬ線に関する矢視断面図である。
【図４１】図３９におけるＸＬＩ−ＸＬＩ線に関する矢視断面図である。
【図４２】本開示に基づく実施の形態６における電子機器の変形例の断面図である。
【発明を実施するための形態】
【００１０】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するものではなく、図示された姿勢の中での相対的な上または下を意味するものである。
【００１１】
ここでいう「ドームスイッチ」とは、基板の表面に、金属その他の材料によって曲面状の膜を凸状に形成し、この曲面状の部分が押されて凹むように弾性変形することで、曲面状の部分の内側に設けられた接点同士が当接して電気的にＯＮ状態となり、押すのをやめると曲面状の部分は自らの復元力で元の形状に戻りＯＦＦ状態となるようなスイッチをいう。ここでいうドームスイッチは、ドーム型スイッチ、メンブレンスイッチ、シートスイッチなどと呼ばれる場合がある。中でも特に、曲面状の部分が主に金属で形成されているものはメタルドームとも呼ばれる。
【００１２】
（実施の形態１）
（構成）
図１〜図１１を参照して、本開示に基づく実施の形態１における電子機器について説明する。本実施の形態における電子機器の外観を図１に示す。電子機器１０１は、筐体部品１と、ボタン部２とを備える。筐体部品１には、実際にはディスプレイ、操作ボタン、スピーカなどが適宜設けられていてもよいが、ここでは図示省略している。電子機器１０１におけるボタン部２の近傍の断面を図２に示す。筐体部品１の開口部に配置された押ボタン部２は、裏側に押し子２ａを備える。押し子２ａは、筐体部品１の内側に配置されたドームスイッチ３を間接的に押すように配置されている。ドームスイッチ３は基板８に配置されている。ドームスイッチ３と押し子２ａとの間には、粘着層付き防水シート３１が介在している。図２に示した押し子２ａの形状はあくまで一例であってこの通りの形状とは限らない。押し子２ａが常に存在するとは限らず、押ボタン部２の何らかの一部がドームスイッチ３に対向している構造であってもよい。
【００１３】
図２に示した基板８を単独で取り出した様子を図３に示す。基板８は、基板本体８ａと、フレキシブル部８ｂとを備える。基板本体８ａの表面には２つのドームスイッチ３が配置されている。フレキシブル部８ｂは基板本体８ａの中ほどから延在している。フレキシブル部８ｂが基板本体８ａとつながっている箇所は、２つのドームスイッチ３に挟まれている。この例では、２つのドームスイッチ３が配置されているものとしたが、１つの基板本体８ａに配置されているドームスイッチ３の数は、２つとは限らず他の個数であってもよい。
【００１４】
図３に示したドームスイッチ３の近傍を拡大して図４に示す。図４は、基板本体８ａの面に垂直な方向からドームスイッチ３近傍を見たところを示している。図４におけるＶ−Ｖ線に関する矢視断面図を図５に示す。基板本体８ａは、互いに逆の側を向く第１面４１と第２面４２とを有する。ここで示した例では、基板本体８ａは第１層９と第２層１０とを含んでいる。基板本体８ａはこのように２層以上の積層構造であってもよい。たとえば第１層９がフレキシブル部８ｂの延長部分であって、第２層１０は支持層の役割を果たすものであってもよい。
【００１５】
図２に示した粘着層付き防水シート３１を単独で取り出したところを図６に示す。粘着層付き防水シート３１の外形は長方形である。図６に示した状態から粘着層付き防水シート３１を裏返したところを図７に示す。粘着層付き防水シート３１は、防水シート３２と粘着層３３とを含む。粘着層３３は防水シート３２の外縁に沿って配置されている。図７におけるＶＩＩＩ−ＶＩＩＩ線に関する矢視断面図を図８に示す。
【００１６】
基板８に粘着層付き防水シート３１を取り付ける様子を図９に示す。基板本体８ａのうちドームスイッチ３が配置されている箇所に粘着層付き防水シート３１を巻き付ける。図９に示すように、粘着層付き防水シート３１の長手方向が基板本体８ａの長手方向に直交するように粘着層付き防水シート３１をドームスイッチ３にかぶせ、矢印９１で示すように巻き付ける。複数あるドームスイッチ３にそれぞれ対応して１枚ずつの粘着層付き防水シート３１を巻き付ける。その結果、図１０に示すようになる。図１０におけるＸＩ−ＸＩ線に関する矢視断面図を図１１に示す。第１面４１側から基板本体８ａに当てられた粘着層付き防水シート３１は基板本体８ａの上下端で折り返されて基板本体８ａを包み込んでおり、粘着層付き防水シート３１は、基板本体８ａのドームスイッチ３が設けられているのとは反対側の面すなわち第２面４２に粘着層３３を用いて貼り付けられている。
【００１７】
本実施の形態における電子機器の構成を整理すると以下のように表現することができる。電子機器１０１は、互いに逆の側を向く第１面４１および第２面を有する基礎部としての基板本体８ａと、第１面４１に配置されたドームスイッチ３と、ドームスイッチ３を覆う部分を含むように配置された防水シート３２と、防水シート３２の少なくとも一部に配置された粘着層３３とを備える。防水シート３２は、ドームスイッチ３を含む水密状の空間６が形成されるように、粘着層３３によって基礎部としての基板本体８ａに貼り付けられている。
【００１８】
ここでいう「ドームスイッチ３を含む水密状の空間６」とは、ドームスイッチ３の周りに隙間があることを必ずしも意味するものではない。空間６内においてドームスイッチ３の周りには隙間があってもなくてもよい。ドームスイッチ３が占める体積が空間６の全部であってもよい。ドームスイッチ３が押されている状態と押されていない状態との間を行き来する際に、ドームスイッチ３の内外で気体が出入りしてもよい。たとえばドームスイッチ３が押されていない状態では、空間６の全部を占めるようにドームスイッチ３が存在し、ドームスイッチ３が押された状態では、ドームスイッチ３内の気体の少なくとも一部がドームスイッチ３から排出されることによって空間６内にドームスイッチ３の他に隙間が生じるような状態であってもよい。あるいは、ドームスイッチ３が押されていない状態でも既に空間内にドームスイッチ３の他に隙間があってもよい。
【００１９】
（作用・効果）
本実施の形態では、防水シート３２が粘着層３３によって貼り付けられることによって、ドームスイッチ３を含む水密状の空間６が形成されているので、ドームスイッチ３周辺には水がない状態となっている。したがって、ドームスイッチ３内に水が浸入することを防止することができる。ドームスイッチ３内に水が浸入するおそれがないので、本実施の形態における電子機器は、ボタンを水中で操作可能な電子機器とすることができる。
【００２０】
本実施の形態で示したように、防水シート３２は第２面４２に折返しており、粘着層３３によって第２面４２に貼着されていることが好ましい。この構成を採用することにより、基板８の周囲に貼着に適した他の部品を必要とせず、基板８と防水シート３２とが粘着層３３を介して組み合わさることによってドームスイッチ３を含む水密状の空間６が形成されるので、設計の自由度が高くなる。
【００２１】
本実施の形態では、基板８は、ある程度の剛性を有する基板本体８ａと、フレキシブル部８ｂとを含むものし、基板本体８ａが基礎部に該当するものとしたが、これはあくまで一例である。基礎部としては、剛性を有するものとは限らない。基礎部は、板状のものとは限らず他の形状のものであってもよい。基礎部は剛性を有するものとは限らず柔軟なものであってもよい。このことは、以下の実施の形態においてもあてはまる。本実施の形態においては、一例として基板８が基板本体８ａとフレキシブル部８ｂとを含むものとして説明したが、基礎部となる何らかの部材があれば足り、フレキシブル部８ｂの存在は必須ではない。
【００２２】
（実施の形態２）
（構成）
図１２〜図１７を参照して、本開示に基づく実施の形態２における電子機器について説明する。電子機器の外観については、実施の形態１で説明したものと同様であるので、説明を繰り返さない。
【００２３】
本実施の形態における電子機器は、実施の形態１で説明した基板８に代えて、図１２に示すような基板８ｉを備える。基板８と異なり、基板８ｉにおいては、フレキシブル部８ｂが基板本体８ａの一方の端から延在している。それ以外の部分については、基板８ｉは基本的に基板８と同様の構成を備える。本実施の形態における電子機器は、実施の形態１で説明した粘着層付き防水シート３１に代えて、図１３に示すような粘着層付き防水シート３１ｉを備える。粘着層付き防水シート３１ｉの外形は長方形である。図１３に示した状態から粘着層付き防水シート３１ｉを裏返したところを図１４に示す。粘着層付き防水シート３１ｉは、防水シート３２と粘着層３３とを含む。粘着層３３は防水シート３２の外縁に沿って配置されているだけでなく、中央を横切るようにも配置されている。図１４におけるＸＶ−ＸＶ線に関する矢視断面図を図１５に示す。
【００２４】
本実施の形態における電子機器では、図１６に示すように基板８ｉに対して粘着層付き防水シート３１ｉが取り付けられる。粘着層付き防水シート３１ｉは１枚で２つのドームスイッチ３を覆い、矢印９１に示すように巻き付けられる。その結果、本実施の形態における電子機器では図１７に示すような構成となっている。
【００２５】
（作用・効果）
本実施の形態においても、実施の形態１と同様の効果を得ることができる。本実施の形態で示した例では、ドームスイッチ３の個数が２つであったが、ドームスイッチ３の個数は２以外であってもよい。図１４では、粘着層３３は、防水シート３２の中央を横切るように配置された部分を含んでおり、防水シート３２を２つの区画に分けていた。ドームスイッチの個数が２以外の場合には、ドームスイッチの個数に合わせて複数の区画に分けられていてもよい。粘着層付き防水シートを基板に巻き付けることによって、ドームスイッチの各々を個別に収容するように複数の水密空間が形成される。一方、複数のドームスイッチが１つの区画に配置されるようにしてもよい。
【００２６】
（実施の形態３）
（構成）
図１８〜図２２を参照して、本開示に基づく実施の形態３における電子機器について説明する。電子機器の外観については、実施の形態１で説明したものと同様であるので、説明を繰り返さない。
【００２７】
本実施の形態における電子機器は、実施の形態１で説明した粘着層付き防水シート３１に代えて、図１８に示すような粘着層付き防水シート３１ｊを備える。図１８に示した状態から粘着層付き防水シート３１ｊを裏返したところを図１９に示す。粘着層付き防水シート３１ｊの外縁に沿って粘着層３３が配置されている。粘着層付き防水シート３１ｊは、防水シート３２と粘着層３３とを含む。本実施の形態における電子機器は、実施の形態１で説明したのと同じ基板８を備える。基板８に対して粘着層付き防水シート３１ｊは、図２０に示すように取り付けられる。ここでは、第１シート５が用いられる。粘着層付き防水シート３１ｊと第１シート５とはほぼ同じサイズでほぼ同じ形状であってよい。基板８の基板本体８ａに配置されたドームスイッチ３を覆うように粘着層付き防水シート３１ｊが被せられ、基板本体８ａの反対側の面から第１シート５が被せられる。その結果、本実施の形態における電子機器では図２１に示すような構成となっている。図２１におけるＸＸＩＩ−ＸＸＩＩ線に関する矢視断面図を図２２に示す。
【００２８】
本実施の形態における電子機器の構成を整理すると以下のように表現することができる。本実施の形態における電子機器は、互いに逆の側を向く第１面４１および第２面を有する基礎部としての基板本体８ａと、第１面４１に配置されたドームスイッチ３と、ドームスイッチ３を覆う部分を含むように配置された防水シート３２と、防水シート３２の少なくとも一部に配置された粘着層３３とを備える。防水シート３２は、ドームスイッチ３を含む水密状の空間６が形成されるように、粘着層３３によって他の部材に貼り付けられている。前記他の部材は、第２面４２に沿うように配置され、第１面４１の側から見たときに基礎部としての基板本体８ａより外側に張り出している第１シート５であり、防水シート３２は、第１シート５に対して粘着層３３によって貼着されている。
【００２９】
（作用・効果）
本実施の形態においても、実施の形態１と同様の効果を得ることができる。本実施の形態では、防水シートを折り曲げる必要がないので、粘着層付き防水シート３１ｊの設置が容易である。第１シート５として両面粘着シートを用いた場合、第１シート５の基板８とは反対側の面を利用して図２２の矢印９２に示すようにそのまま筐体部品などに固定することも可能となる。
【００３０】
（実施の形態４）
（構成）
図２３〜図２５を参照して、本開示に基づく実施の形態４における電子機器について説明する。電子機器の外観については、実施の形態１で説明したものと同様であるので、説明を繰り返さない。
【００３１】
本実施の形態における電子機器は、実施の形態１で説明した基板８に代えて、図２３に示すような基板８ｊを備える。基板８と異なり、基板８ｊにおいては、フレキシブル部８ｂが基板本体８ａの一方の端から延在している。基板８と異なり、基板８ｊは幅が広くなっている。それ以外の部分については、基板８ｊは基本的に基板８と同様の構成を備える。本実施の形態における電子機器は、実施の形態３で説明した粘着層付き防水シート３１ｊを備える。図２３に矢印９３で示すように、基板８ｊに配置されたドームスイッチ３の各々を覆うように粘着層付き防水シート３１ｊが貼り付けられる。その結果、本実施の形態における電子機器では図２４に示すような構成となっている。図２４におけるＸＸＶ−ＸＸＶ線に関する矢視断面図を図２５に示す。
【００３２】
本実施の形態における電子機器では、防水シート３２は、粘着層３３によって第１面４１に貼着されている。
【００３３】
（作用・効果）
本実施の形態においても、実施の形態１と同様の効果を得ることができる。本実施の形態では、基板本体８ａの第１面のみを使って水密状の空間６を形成することができる。基板本体８ａの第２面は他の用途に利用することができる。本実施の形態では、基板本体８ａに対して一方の側から粘着層付き防水シート３１ｊを貼り付けるだけでよいので、貼り付ける作業が容易となる。
【００３４】
（実施の形態５）
（構成）
図２６〜図３３を参照して、本開示に基づく実施の形態５における電子機器について説明する。電子機器の外観については、実施の形態１で説明したものと同様であるので、説明を繰り返さない。
【００３５】
本実施の形態における電子機器は、実施の形態１で説明した粘着層付き防水シート３１に代えて、図２６に示すような防水シート３５を備える。防水シート３５には粘着層が設けられていなくてもよい。防水シート３５は、折り目３５ｒを有する。図２６では折り目３５ｒを破線によって模式的に示している。防水シート３５を折り曲げる前の状態では、折り目３５ｒは視認可能な線として存在するとは限らない。防水シート３５は、折り目３５ｒを中心に対称な形状であってよい。防水シート３５は、折り目３５ｒを境目として第１部分３５ｃと第２部分３５ｄとを含む。第１部分３５ｃは張出部３５ｅを有する。第２部分３５ｄは張出部３５ｆを有する。
【００３６】
基板８に対して防水シート３５は、図２７に示すように取り付けられる。第１部分３５ｃが基板本体８ａに沿うように当てられ、張出部３５ｅは矢印９４に示すように折り曲げられる。張出部３５ｅはフレキシブル部８ｂに沿う。第２部分３５ｄは矢印９５に示すように基板８の反対側の面を覆うように折り曲げられる。さらに第１部分３５ｃの縁と第２部分３５ｄの縁とが出会う箇所のほとんどで縁が熱溶着され、図２８に示すように熱溶着部３６が形成される。さらに図２９に示すように、張出部３５ｅと、フレキシブル部８ｂと、張出部３５ｆ（図２９では張出部３５ｅの後ろに隠れている。）とが重なる箇所には、防水粘着シート３７を上下両面から貼り付ける。２枚の防水粘着シート３７で張出部３５ｅ，３５ｆを挟み込む。こうして、図３０に示す状態になる。
【００３７】
図３０におけるＸＸＸＩ−ＸＸＸＩ線に関する矢視断面図に対応する分解図を図３１に示す。図３１においては、フレキシブル部８ｂの図中左端が上に向かって凸となるように丸みを帯びているが、このような丸みを帯びた部分は必須ではない。２枚の防水粘着シート３７で張出部３５ｅ，３５ｆを挟み込む際には、丸みを帯びた部分を避けて貼り付けてもよく、丸みを帯びた部分の形状に沿うように曲げて貼り付けてもよい。図３０におけるＸＸＸＩＩ−ＸＸＸＩＩ線に関する矢視断面図を図３２に示す。図３０に示した状態における防水シート３５の形状を単独で模式的に示すと図３３のようになる。第１部分３５ｃと第２部分３５ｄとは、折り目３５ｒによって二つ折りになっており、張出部３５ｅ，３５ｆは奥側に向かって折り曲げられている。
【００３８】
本実施の形態における電子機器の構成を整理すると以下のように表現することができる。本実施の形態における電子機器は、互いに逆の側を向く第１面４１および第２面４２を有する基礎部としての基板本体８ａと、第１面４１に配置されたドームスイッチ３と、ドームスイッチ３を覆う部分を含むように配置された防水シート３５と、基礎部としての基板本体８ａから延在するフレキシブル部８ｂとを備える。防水シート３５は、第１面４１を覆う第１部分３５ｃと第２面４２を覆う第２部分３５ｄとを含んで基礎部としての基板本体８ａを包み込むように一体的に形成されたものであり、第１部分３５ｃと第２部分３５ｄとの間で曲げられており、第１部分３５ｃと第２部分３５ｄとが互いに出会う部分は、ドームスイッチ３を含む水密状の空間６が形成されるように、接合されている。ここで、防水シート３５が、「第１部分３５ｃと第２部分３５ｄとの間で曲げられており」と述べたが、ここでいうところの「曲げられて」とは、折り目が明確とならないように曲げられている状態も含むだけでなく、折り目を形成するように折り曲げられた状態を含むものとする。「曲げられて」には、湾曲するようにして曲げられている状態も当然含まれる。本実施の形態で、防水シート３５が折り目３５ｒによって二つ折りになっているものとして説明したのは、これはあくまで曲げ方の一例である。
【００３９】
（作用・効果）
本実施の形態では、一体的な防水シートを曲げることで、基板本体８ａを包み込んで水密状の空間を設けているので、実施の形態１と同様の効果を得ることができる。
【００４０】
本実施の形態で例示したように、第１部分３５ｃと第２部分３５ｄとが互いに出会う部分の少なくとも一部は、第１部分３５ｃと第２部分３５ｄとが接合された熱溶着部３６となっていることが好ましい。この構成を採用することにより、閉じるべき部分を熱溶着によって封止しているので、防水シートの余白が少ない場合であっても封止することができる。封止は熱溶着で行なっているので、粘着層が不要である。
【００４１】
本実施の形態で例示したように、第１部分３５ｃと第２部分３５ｄとが互いに出会う部分の少なくとも一部は、第１部分３５ｃと第２部分３５ｄとを重ねて両側から防水粘着シート３７で挟み込まれており、第１部分３５ｃの端がフレキシブル部８ｂに接する箇所では、防水粘着シート３７が第１部分３５ｃの端とフレキシブル部８ｂとの接触箇所を封止しており、第２部分３５ｄの端がフレキシブル部８ｂに接する箇所では、防水粘着シート３７が第２部分３５ｄの端とフレキシブル部８ｂとの接触箇所を封止している。この構成を採用することにより、フレキシブル部の周辺を確実に封止することができる。
【００４２】
防水シートの張出部は、基板のフレキシブル部の形状に合わせた形状としてもよい。フレキシブル部がＬ字形である場合には、たとえば図３４に示す防水シート３５ｉのようなものであってもよい。防水シート３５ｉにおいては、張出部３５ｅ，３５ｆはＬ字形となっている。張出部３５ｅと張出部３５ｆとが互いに鏡像関係の形状となっている。
【００４３】
（実施の形態６）
（構成）
図３５〜図４１を参照して、本開示に基づく実施の形態６における電子機器について説明する。電子機器の外観については、実施の形態１で説明したものと同様であるので、説明を繰り返さない。
【００４４】
図３５に筐体部品１５の一部を示す。本実施の形態における電子機器は筐体部品１５を備える。図３５では、説明の便宜のために筐体部品１５が一定の幅で描かれているが、実際には、図中左上および右下にもさらに延在していてよい。筐体部品１５は、底面２０と、側面２１と、斜面２２とを有する。筐体部品１５に基板８ｋが設置されている。基板８ｋは、基板本体８ａとフレキシブル部８ｂとを備える。基板本体８ａは筐体部品１５の側面２１に重なるように配置されている。
【００４５】
図３６に粘着層付き防水シート３１ｋを単独で示す。本実施の形態における電子機器は粘着層付き防水シート３１ｋを備える。粘着層付き防水シート３１ｋは長方形の外形を有する。図３６に示した状態から粘着層付き防水シート３１ｋを裏返したところを図３７に示す。粘着層付き防水シート３１ｋは、防水シート３２と粘着層３３とを含む。
【００４６】
筐体部品１５に粘着層付き防水シート３１ｋを取り付けた状態を図３８に示す。粘着層付き防水シート３１ｋは、筐体部品１５の底面２０、側面２１および斜面２２にまたがるように貼り付けられている。基板本体８ａは、粘着層付き防水シート３１ｋによって完全に覆い隠されている。図３８に示した構造物を基板本体８ａに垂直な方向から見た部分拡大図を図３９に示す。図３９におけるＸＬ−ＸＬ線に関する矢視断面図を図４０に示す。基板本体８ａの第２面４２は、筐体部品１５の側面２１に接している。粘着層付き防水シート３１ｋは粘着層３３によって筐体部品１５に付着している。粘着層付き防水シート３１ｋの裏側のうち粘着層３３に囲まれた領域には水密状の空間６が形成されている。基板本体８ａはこの水密状の空間６の中に配置されている。基板本体８ａの第１面４１に配置されたドームスイッチ３は、防水シート３２に覆われている。図３９におけるＸＬＩ−ＸＬＩ線に関する矢視断面図を図４１に示す。筐体部品１５の側面２１には貫通孔１１が設けられており、基板８ｋのフレキシブル部８ｂは貫通孔１１を通って筐体部品１５の裏側へと延在している。フレキシブル部８ｂの先端は、基板１６の表面に配置された接続部材１７に接続されている。接続部材１７はたとえばパッド電極であってよい。基板１６は、筐体の内部空間に配置された何らかの基板である。基板１６にはさらに他の部品が実装されていてもよい。
【００４７】
本実施の形態における電子機器の構成を整理すると以下のように表現することができる。本実施の形態における電子機器は、互いに逆の側を向く第１面４１および第２面を有する基礎部としての基板本体８ａと、第１面４１に配置されたドームスイッチ３と、ドームスイッチ３を覆う部分を含むように配置された防水シート３２と、防水シート３２の少なくとも一部に配置された粘着層３３とを備える。防水シート３２は、ドームスイッチ３を含む水密状の空間６が形成されるように、粘着層３３によって他の部材に貼り付けられている。前記他の部材は筐体部品１５であり、基礎部としての基板本体８ａは筐体部品１５に沿って配置されている。
【００４８】
（作用・効果）
本実施の形態においても、実施の形態１と同様の効果を得ることができる。本実施の形態では、粘着層付き防水シート３１ｋは基板本体８ａではなく筐体部品１５に対して貼り付ければよいので、組立作業が容易となる。
【００４９】
本実施の形態では、筐体部品１５を例にとって説明したが、筐体部品の形状は筐体部品１５のようなものに限らない。本実施の形態では、筐体部品１５の平坦な側面２１に基板本体８ａが配置される例を示したが、たとえば図４２に示すように、凹部１９を有する筐体部品１５ｉが用いられていてもよい。図４２に示した例では、凹部１９の内部に基板本体８ａが収められている。基板本体８ａの第２面４２は、凹部１９の底面に当接している。図４２における左側から見たとき凹部１９は基板本体８ａの外形よりやや大きい領域にわたって設けられている。
【００５０】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００５１】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００５２】
１  筐体部品、２  ボタン部、２ａ  押し子、３  ドームスイッチ、５  第１シート、６  空間、８，８ｉ，８ｊ，８ｋ  基板、８ａ  基板本体、８ｂ  フレキシブル部、９  第１層、１０  第２層、１１  貫通孔、１５，１５ｉ  筐体部品、１６  （筐体内に配置された）基板、１７  接続部材、１９  （筐体部品の）凹部、２０  底面、２１  （筐体部品の）側面、２２  （筐体部品の）斜面、３１，３１ｉ，３１ｊ，３１ｋ，３１ｎ  粘着層付き防水シート、３２，３５  防水シート、３３  粘着層、３５ｃ  第１部分、３５ｄ  第２部分、３５ｅ，３５ｆ  張出部、３５ｒ  折り目、３６  熱溶着部、３７  防水粘着シート、４１  第１面、４２  第２面、９１，９２，９３，９４，９５  矢印、１０１  電子機器。
【図１】
2017117593.tif 000003
【図２】
2017117593.tif 000004
【図３】
2017117593.tif 000005
【図４】
2017117593.tif 000006
【図５】
2017117593.tif 000007
【図６】
2017117593.tif 000008
【図７】
2017117593.tif 000009
【図８】
2017117593.tif 000010
【図９】
2017117593.tif 000011
【図１０】
2017117593.tif 000012
【図１１】
2017117593.tif 000013
【図１２】
2017117593.tif 000014
【図１３】
2017117593.tif 000015
【図１４】
2017117593.tif 000016
【図１５】
2017117593.tif 000017
【図１６】
2017117593.tif 000018
【図１７】
2017117593.tif 000019
【図１８】
2017117593.tif 000020
【図１９】
2017117593.tif 000021
【図２０】
2017117593.tif 000022
【図２１】
2017117593.tif 000023
【図２２】
2017117593.tif 000024
【図２３】
2017117593.tif 000025
【図２４】
2017117593.tif 000026
【図２５】
2017117593.tif 000027
【図２６】
2017117593.tif 000028
【図２７】
2017117593.tif 000029
【図２８】
2017117593.tif 000030
【図２９】
2017117593.tif 000031
【図３０】
2017117593.tif 000032
【図３１】
2017117593.tif 000033
【図３２】
2017117593.tif 000034
【図３３】
2017117593.tif 000035
【図３４】
2017117593.tif 000036
【図３５】
2017117593.tif 000037
【図３６】
2017117593.tif 000038
【図３７】
2017117593.tif 000039
【図３８】
2017117593.tif 000040
【図３９】
2017117593.tif 000041
【図４０】
2017117593.tif 000042
【図４１】
2017117593.tif 000043
【図４２】
2017117593.tif 000044